(57)【要約】【課題】持ち運びが容易な矯正器具を提供する。【解決手段】矯正器具１は、棒状の基材１０と、基材１０の両端部に取り付けられ、ランスチューブに掛け回される一対の索体２０と、基材１０の中央部に取り外し可能に設けられ、基材１０とランスチューブとの間を広げるジャッキ３０とを備える。索体２０は基材１０に沿わせた状態にでき、また、基材１０からジャッキ３０を取り外せるので、矯正器具１をコンパクトに格納でき、持ち運びが容易である。【選択図】図１
2018149575.tif 000002
【特許請求の範囲】
【請求項１】
棒状の基材と、
前記基材の両端部に取り付けられ、ランスチューブに掛け回される一対の索体と、
前記基材の中央部に取り外し可能に設けられ、前記基材と前記ランスチューブとの間を広げるジャッキと、を備える
ことを特徴とするランスチューブの矯正器具。
【請求項２】
前記ジャッキの底部に設けられた設置板と、
前記基材の中央部に設けられ、前記設置板が嵌る凹部を有する受け材と、を備える
ことを特徴とする請求項１記載のランスチューブの矯正器具。
【請求項３】
前記ジャッキの底部に設けられた設置板と、
前記基材の中央部に設けられ、前記設置板がスライド嵌合する保持材と、を備える
ことを特徴とする請求項１記載のランスチューブの矯正器具。
【請求項４】
請求項１、２または３記載の矯正器具を用いてランスチューブの曲がりを矯正する
ことを特徴とするランスチューブの矯正方法。
【発明の詳細な説明】
【技術分野】
【０００１】
本発明は、ランスチューブの矯正器具および矯正方法に関する。さらに詳しくは、スートブロワに備えられたランスチューブの曲がりを矯正するための矯正器具および矯正方法に関する。
【背景技術】
【０００２】
自熔製錬炉から排出された製錬ガスは排熱ボイラーに導かれ、熱が回収される。排熱ボイラー内部の水壁管に煙灰が付着すると熱伝導率が下がり熱回収効率が低下する。また、煙灰が製錬ガスに含まれる水分と反応して水壁管を腐食する原因となる。そこで、排熱ボイラーには付着した煙灰を落とすスートブロワが設けられる。
【０００３】
スートブロワはテレスコピック状に構成されたランスチューブを備えている。使用時はランスチューブを伸長させて排熱ボイラーの内部に挿入し、ランスチューブの先端から空気を噴出することで煙灰を落下させる。待機時はランスチューブを収縮させて、排熱ボイラーから抜き出す。
【０００４】
ランスチューブは長尺の管状部材であるため、繰り返し使用するにしたがい、自重や排熱ボイラー内の熱により撓んでくる。ランスチューブの曲がりが大きくなった場合には、曲がりを矯正する必要がある。特許文献１、２には、ランスチューブの曲がりを矯正する器具が開示されている。
【０００５】
排熱ボイラーは自熔製錬炉から排出された製錬ガスが上昇することを考慮して高所に設置される。また、排熱ボイラーに設けられる足場は建設費を抑えるために必要最小限の広さしか確保されていない。そのため、一般に、ランスチューブは高所、狭所に設置され、ランスチューブが曲がった場合には、矯正器具を高所、狭所まで運ぶ必要がある。しかも、排熱ボイラーは複数基が離れて設置されるため、ランスチューブを矯正する必要が生じるたびに、矯正器具を運ぶ必要がある。しかし、従来の矯正器具は重く、嵩張っていたため、矯正器具を持って狭い階段を昇降することは困難である。排熱ボイラーの周辺に運搬手段が設けられていない場合には、クレーンなどを手配する必要があった。
【先行技術文献】
【特許文献】
【０００６】
【特許文献１】実開平４−６４４１７号公報
【特許文献２】特開２０１４−１５６９４２号公報
【発明の概要】
【発明が解決しようとする課題】
【０００７】
本発明は上記事情に鑑み、持ち運びが容易な矯正器具を提供することを目的とする。
また、その矯正器具を用いたランスチューブの矯正方法を提供することを目的とする。
【課題を解決するための手段】
【０００８】
第１発明のランスチューブの矯正器具は、棒状の基材と、前記基材の両端部に取り付けられ、ランスチューブに掛け回される一対の索体と、前記基材の中央部に取り外し可能に設けられ、前記基材と前記ランスチューブとの間を広げるジャッキと、を備えることを特徴とする。
第２発明のランスチューブの矯正器具は、第１発明において、前記ジャッキの底部に設けられた設置板と、前記基材の中央部に設けられ、前記設置板が嵌る凹部を有する受け材と、を備えることを特徴とする。
第３発明のランスチューブの矯正器具は、第１発明において、前記ジャッキの底部に設けられた設置板と、前記基材の中央部に設けられ、前記設置板がスライド嵌合する保持材と、を備えることを特徴とする。
第４発明のランスチューブの矯正方法は、第１、第２または第３発明の矯正器具を用いてランスチューブの曲がりを矯正することを特徴とする。
【発明の効果】
【０００９】
第１発明によれば、索体は基材に沿わせた状態にでき、また、基材からジャッキを取り外せるので、矯正器具をコンパクトに格納でき、持ち運びが容易である。
第２発明によれば、設置板を受け材に嵌めるだけで、ジャッキを基材に取り付けることができる。
第３発明によれば、設置板が保持材にスライド嵌合しているので、ジャッキが基材に対して傾くことがなく、安全である。
第４発明によれば、ランスチューブの曲がりを矯正できる。
【図面の簡単な説明】
【００１０】
【図１】本発明の第１実施形態に係る矯正器具の正面図である。
【図２】図１におけるII-II線矢視部分断面図である。
【図３】図１におけるIII-III線矢部分視断面図である。
【図４】同矯正器具の基材の平面図である。
【図５】本発明の第２実施形態に係る矯正器具の正面部分拡大図である。
【図６】図５におけるVI-VI線矢視部分断面図である。
【図７】スートブロワの説明図である。
【発明を実施するための形態】
【００１１】
つぎに、本発明の実施形態を図面に基づき説明する。
〔第１実施形態〕
（ランスチューブ）
まず、ランスチューブについて説明する。
図７に示すように、スートブロワ１００はランスチューブ１１０を備えている。ランスチューブ１１０は内管１１１と外管１１２とからテレスコピック状に構成されている。内管１１１の基端部にはヘッドバルブ１２０を介して空気供給源１３０が接続されている。外管１１２の先端部には噴射ノズル１１３が設けられている。空気供給源１３０から供給された空気はランスチューブ１１０の内部を通って、噴射ノズル１１３から噴射される。
【００１２】
使用時はランスチューブ１１０を伸長させて排熱ボイラー２００の内部に挿入する。噴射ノズル１１３から空気を噴出することで煙灰を落下させる。待機時はランスチューブ１１０を収縮させて、排熱ボイラー２００から抜き出す。
【００１３】
ランスチューブ１１０、特に外管１１２は長尺の管状部材であるため、繰り返し使用するにしたがい、自重や排熱ボイラー２００内の熱により撓んでくる。外管１１２の曲がりが大きくなった場合には、曲がりを矯正する必要がある。外管１１２の曲がりを矯正するために矯正器具が用いられる。
【００１４】
（矯正器具）
つぎに、本発明の第１実施形態に係る矯正器具１を説明する。
図１に示すように、矯正器具１は基材１０と、一対の索体２０、２０と、ジャッキ３０とを備えている。基材１０は外管１１２の矯正に必要な長さを有する棒状の部材である。基材１０は例えばＨ形鋼やＣ形鋼を加工して形成される。強度に影響しない程度に、角部を削り落としたり、孔１５（図４参照）を形成したりして、軽量化してもよい。
【００１５】
基材１０の両端部には取付孔１１、１１が形成されている。一対の索体２０は取付孔１１、１１を用いて基材１０の両端部に取り付けられている。取付孔１１の周囲に環状の補強板１２を接合して、取付孔１１の周囲の部分を補強してもよい。
【００１６】
図２に示すように、索体２０の両端部はシャックルなどの取付金具２１により取付孔１１に固定されている。外管１１２を矯正する場合には、索体２０が外管１１２に掛け回される。索体２０は外管１１２の矯正に必要な強度を有していれば特に限定されないが、縒り鋼線や鎖などを用いることができる。
【００１７】
図３および図４に示すように、基材１０の中央部上面には矩形の凹部１３ａを有する受け材１３が設けられている。一方、ジャッキ３０の底部（シリンダキャップ）には矩形の設置板３１が設けられている。設置板３１を受け材１３の凹部１３ａに嵌めるだけで、ジャッキ３０を基材１０の中央部に取り付けることができる。しかも、ジャッキ３０は基材１０に対して取り外し可能である。なお、設置板３１はジャッキ３０に対して取り外し可能なようにボルトなどで固定すればよい。
【００１８】
ジャッキ３０のロッド先端部には断面Ｕ字形の支持材３２が設けられている。支持材３２の凹部に外管１１２を嵌め込むことで、外管１１２がずれないように、しっかりと支えることができる。なお、支持材３２はジャッキ３０に対して取り外し可能に設けることが好ましい。
【００１９】
ジャッキ３０としては、液圧式、空圧式、機械式など種々のタイプを用いることができる。
【００２０】
（矯正方法）
上記の矯正器具１を用いて外管１１２の曲がりを矯正するにはつぎの操作を行えばよい。
図１に示すように、基材１０の中央部にジャッキ３０を取り付ける。索体２０を外管１１２に掛け回して基材１０の両端部に取り付ける。この際、取付金具２１を取り付け、取り外しすることにより索体２０で環を形成し、その環の内側に外管１１２を通すようにする（図２参照）。
【００２１】
ジャッキ３０を伸長させて、外管１１２の曲がりにより生じた凸部に支持材３２を押し当てる。ここで、外管１１２の凸側をジャッキ３０に向ける。ジャッキ３０をさらに伸長させて基材１０と外管１１２との間を広げるように、外管１１２に力を加える。以上の操作により外管１１２の曲がりを矯正できる。
【００２２】
本実施形態の矯正器具１によれば、索体２０は基材１０に沿わせた状態にでき、また、基材１０からジャッキ３０を取り外せるので、矯正器具１をコンパクトに格納できる。したがって、高所、狭所への持ち運びが容易である。
【００２３】
〔第２実施形態〕
つぎに、本発明の第２実施形態に係る矯正器具２を説明する。
図５および図６に示すように、本実施形態の矯正器具２は第１実施形態の矯正器具１において、受け材１３に代えて保持材１４を基材１０に設けた構成である。
【００２４】
保持材１４は三辺が断面コの字形に形成されており、設置板３１の三辺の縁部が嵌め込まれるようになっている。ジャッキ３０を基材１０に取り付けるには、設置板３１を保持材１４にスライド嵌合させればよい。設置板３１が保持材１４にスライド嵌合しているので、外管１１２の曲がりを矯正する際にジャッキ３０が基材１０に対して傾くことがなく、安全である。
【００２５】
なお、保持材１４は対向する二辺のみが断面コの字形に形成されてもよい。この場合でも設置板３１の対向する二辺の縁部が保持材１４に嵌め込まれる。
【符号の説明】
【００２６】
１、２  矯正器具
１０    基材
１１    取付孔
１３    受け材
１４    保持材
２０    索体
２１    取付金具
３０    ジャッキ
３１    設置板
３２    支持材
【図１】
2018149575.tif 000003
【図２】
2018149575.tif 000004
【図３】
2018149575.tif 000005
【図４】
2018149575.tif 000006
【図５】
2018149575.tif 000007
【図６】
2018149575.tif 000008
【図７】
2018149575.tif 000009